(57)【要約】【課題】  容器を付けた場合には、切った野菜を容器に収納する事ができ、又、容器を外して使った際は、皿やまな板などの落としたい位置に確実に切った野菜を落とす事ができる野菜カッターを提供する。【解決手段】  上記課題を解決するために、本発明は、表面に刃又は、刃及び裏面に貫通する孔を形成した板状部材と、そして該板状部材を乗せる台座部と、そして脚部と、そして把持部とで構成されており、更に、台座部には孔又は切り込みによって、上から下へ通る貫通部が形成されている事を特徴とする野菜カッターを提供する。【選択図】    図１
2005088186.tif 000002
【特許請求の範囲】
【請求項１】
表面に刃又は、刃及び裏面に貫通する孔を形成した板状部材と、そして該板状部材を乗せる台座部と、そして脚部と、そして把持部とで構成されており、台座部には脚部と把持部が形成されており、更に、台座部には孔または切り込みによって、上から下へ通る貫通部が形成されている事を特徴とする野菜カッター。
【請求項２】
台座部の前方又は／及び後方端部の下側に形成された脚部のどちらかが、前方端部においては前方端部以外、後方端部においては後方端部以外の台座部下面又は該下面に形成された部材又は脚部よりも、板状部材を乗せた状態で、該板状部材の上面から先端までの寸法が、該上面と直交する方向において、少なくとも１．５ｃｍ以上長い事を特徴とする請求項１に記載の野菜カッター。
【請求項３】
把持部に脚部が形成されている請求項１〜２のいずれかに記載の野菜カッター
【請求項４】
脚部を少なくとも２本の棒状又は板状部材で形成した請求項１〜３のいずれかに記載の野菜カッター。
【請求項５】
脚部に回転軸を形成した請求項１〜４のいずれかに記載の野菜カッター。
【請求項６】
板状部材に把持部を形成した請求項１〜５のいずれかに記載の野菜カッター。
【発明の詳細な説明】
【発明の詳細な説明】
【技術分野】
【０００１】  本発明は野菜や果物を切ったり、削ったり、擦ったりする野菜カッターに関する。
【背景技術】
【０００２】  従来、この種のカッターは刃の付いた板状部材を、板状部材の大きさとほぼ同じ容器の上部に嵌め込み、板状部材の表面に取り付けられた刃によって野菜などを薄切りし、又は削り、又は擦り、処理した野菜は刃の脇に形成された孔から容器内に落ちて溜められるものであった。そのため、皿に盛り付ける際は容器から出さなければならなかった。容器を嵌めずに、刃の付いた板状部材だけを使用して切った場合は、板状部材を皿の上縁に乗せて切るか、又は皿から上側に適当な距離を保って手で保持して切るかのどちらかであった。皿の上縁に乗せて切ると、手の動きに連動して皿が動いたり、ひっくり返ったりする事があり、又野菜を薄切りする場合などには、皿との間隔が無いために切る量が制限されて、多く切ることができず、又、離して切ると保持する手がぶれてしまい、切った物が皿の外に飛散してしまう不具合が生ずる事があった。
【発明が解決しようとする課題】
【０００３】  本発明は上記の問題を解決するもので、皿の縁部やまな板などの上側に離して位置させ且つ、安定させて切り落とす、又は削り落とす、又は擦り下ろす事を課題とする。
【課題を解決するための手段】
【０００４】  上記課題を解決するために、本発明の第一の態様は、表面に刃又は、刃及び裏面に貫通する孔を形成した板状部材と、そして該板状部材を乗せる台座部と、そして脚部と、そして把持部とで構成されており、更に、台座部には孔又は切り込み等によって、上から下へ通る貫通部が形成されている事を特徴とする野菜カッターを提供する。
【発明を実施するための最良の形態】
【０００５】  以下、図面を参照しながら本発明の各種態様に係る野菜カッターに関して説明する。以下の説明は、本発明の技術思想を具現化する幾つかの具体例を説明するものであり、本発明は以下の説明に限定されるものではない。【０００６】  図１−ａは本発明の野菜カッターを示す斜視図である。図１−ａに示す野菜カッターは、刃１を形成し、そして孔２を形成した板状部材３と、そして該板状部材３が乗る台座部４と、その前方の端部下部に形成された脚部５と、後方の端部下部に外側に伸張して形成された把持部６とで構成されている。ここで云う、前方と後方とは、使う人の側を後方とし反対側の前方向を前方としている。通常、把持部６は使う人の側にあるので後方と位置付けしている。但し、前方と後方は方向を示すものであり、部分的位置を示すものではない。これを使用する際には、先ず皿の上側に本野菜カッターの台座部４を設置し、野菜を刃１の形成された板状部材３の上面で刃１に当てながら前後に動かす。切られた野菜は孔２を通って下方に落ちる。この際、図１−ｂで示すように、板状部材３の下側の台座部４も孔又は切り込みによって貫通部７が形成されているので、切られた野菜は貫通部７を通り、更にその下方の皿上に落ちる事となる。貫通部７と孔２との取り合いに就いて云えば、貫通部７の形状は孔２の形状又は台座部４の強度等を配慮して決定されるべきである。又、孔２が無い場合でも、板状部材３の前方端部又は後方端部から下側に落す際、端部の形状が湾形のような場合には、その形状と同じか、それ以上の大きさの切り込みによって貫通部７を形成する必要が生ずるので、やはりこれも形状を配慮して総合的に決定されるべきである。次ぎに、本発明の野菜カッターと従来のカッターと異なる点を説明すれば、それは脚部５を有している点である。この脚部５を有することにより台座部４を安定させて置く事ができ、一定した箇所に切った物を落とす事ができる事となる。脚部５は台座部４の下側のどこに形成しても良いが、実施上、皿の上に脚部５を乗せない事を考慮すると、前方又は後方の端部に形成することが好ましい。又、脚部５によって高さを得る事ができるため、従来品のように直接皿の縁に置いた場合に比べ、多くの量を皿の上に盛ることができる事となる。実施上、脚部５の高さは台座部４の底部から脚部５の先端部まで３ｃｍ以上ある事が好ましい。又、脚部５は台座部４に対し直交している必要はない。又、曲がっていても構わない。【０００７】  又、板状部材３と台座部４に就いて説明すれば本発明では刃１又は孔２の形成された板状部材３と台座部４とが分けられるように構成されている。理由に就いて説明すると、この野菜カッターを使用すれば、上に乗せる板状部材だけを交換するだけで、切る、削る、擦る作業に対応でき、多種を揃えた場合、一つずつに脚部と把持部を有しているものに比べ、収納場所を取らないメリットが生ずるのである。又、製造面からはコストの削減に繋がるものである。又、寸法に就いて云えば、板状部材３と台座４は幅が８〜１０ｃｍ程度、長さは１５〜２０ｃｍ程度が好ましい。又、板状部材３と台座４との接触部は動かないように相互に凹凸を形成している事が好ましい。又、台座部４の下側には、容器を取り付けることができるように、容器と嵌合させる凹部又は凸部を形成しても良い。又、把持部６に就いて説明すれば、把持部６は台座部４に形成されていれば位置は任意であるが、実施上は、後方端部に形成されている事が好ましい。その場合、伸長方向も任意である。斜め下方に伸張し脚部として併用させても良い。把持部は指であっても握ることができれば把持部と見なす。寸法に就いて云えば、幅は３〜４ｃｍ程度、長さは１０ｃｍ程度とする事が好ましいが他の形状でも構わない。又、板状部材３に開けられた孔３の数及び形状は任意である。又、刃１に就いて説明すれば、図１に示す刃１は薄板状であるが、実施上、本発明の野菜カッターは野菜を切る、削る又は擦るといった諸作業に使用されるものなので、必要に応じた刃が形成されていて構わない。又、大きさ、方向も任意である。【０００８】  図２は本発明の他の態様に係る野菜カッターの形態を示す側面図である。図２−ａに示す野菜カッターは台座部４の前方端部の下側に脚部５が形成され、後方端部に外側に伸張する把持部６が形成されており、更に前方端部以外に他の部材８が形成されている。その際、前方端部の下側に形成された脚部５が、前方端部以外に形成された他の部材８よりも、板状部材３を乗せた状態で板状部材３の上面９から先端までの寸法が、該上面９と直交する方向において少なくとも１．５ｃｍ以上長く形成されている。図２−ｂは台座部４の後方の端部の下側に脚部５が形成されており、前記と同じく後方に把持部６が形成されている。後方の端部に脚部５が形成されている場合も前記と同様であり、後方の端部以外に形成された他の部材８よりも長く形成されている。この二つのケースは前方と後方の違いだけであって、どちらの構造であっても皿の上側に離して、本野菜カッターを位置させる考え方は同じであり、ここで云おうとする技術基調が変わるものではない。ここで要件としているのは、前方と後方の端部二箇所に脚部５が形成されている場合にはどちらかを１．５ｃｍ以上長くすると云う事である。なぜこの様にするかと云えば、もともと本発明は皿などの上側に離して安定させて、本野菜カッターを位置させる事が目的であり、又、切る、削る、擦る等の作業をする際、台座部４を略水平にしておく事が好ましく、台座部４の一端部以外に寸法の長い脚部が形成されているとすると、水平にした状態で皿を下側に入れようとしても、該脚部が邪魔をして下側に入れられない不具合が生じる事が起きる。もし該脚部を持ち上げて皿を入れたとしても、水平にして使用する際、該脚部の先端部が皿の中に入ってしまい皿に触れたり、中に入っている食べ物に触れたりして、衛生上、好ましくない事態が生じる事となる。本発明ではこの様な事態を回避するために、長い方の脚部５の先端部を支点とし、水平状態にして置いた際、他の部分が置いた面から上方に１５ｍｍ以上上がっているようにするものである。実施上、端部に形成された支点となる脚部５は台座部４の下側に形成された他の部材又は脚部よりも３ｃｍ以上長く形成する事が好ましい。このようにすれば、皿を内側に入れる事がスムーズになり、皿に接触する事が無く、概ね水平度を保ちながら作業できる事となる。以上において一端部の脚部５とそ���以外の部分に関して説明したが、一端部以外に部材又は脚部が形成されていない場合においても考え方は同じであり、脚部５の先端と台座部４の下面との間に１．５ｃｍ以上の寸法差、即ち間隙があれば皿を入れるのは可能である。但し、実施上は前述【０００６】で説明したように３ｃｍ以上ある事が好ましい。脚部５を形成する台座部４の端部とは先端部から５ｃｍ以内の部分を示すものである。【０００９】  図３は本発明の他の態様に係る野菜カッターの形態を示す側面図である。図３に示す野菜カッターは把持部６の端部に脚部５が形成されている。このようにすると、置く際に安定させる事ができ、又、台座部４の後方端部に脚部を形成するよりも、下側に大きな皿を入れることができる。【００１０】  図４は本発明の他の態様に係る野菜カッターの脚部５の形態を示す平面図ａとｂとｃであり、本図は脚部５を下側から見た図である。図４−ａに示す野菜カッターは脚部５が２本の棒状部材で形成されている。このようにすると、皿の縁を２本の脚部５に接触させ、沿わせて回転させることにより、刃１と脚部５の間隔が一定である事から皿の縁に沿って切った物を皿に盛ることができる。又、図４−ｂに示すように板状部材を湾曲させて脚部５を形成しても良い。このようにすると板状部材の両先端部の二箇所に皿の縁を接触させれば効果は前記と同様である。又、図４−ｃに示すように板状部材を屈曲させて脚部５を形成しても良い。これも前記と同様である。実施上、脚部間の寸法は８〜１０ｃｍ程度が好ましい。高さは前述と同様３ｃｍ以上ある事が好ましい。又、皿を回転させた時に滑る恐れが生じるので、皿の縁に脚部５が被った状態で接するように脚部５の端部を外側に開いて形成すると良い。【００１１】  図５は本発明の他の態様に係る野菜カッターの脚部５の構造を示す側面図である。図５に示す野菜カッターは脚部５の台座部４との接合部分に回転軸１０を形成したものである。このようにすると、使用しない時には、脚部５を上側に折りたたむ事ができるので収納する際に、場所を取らずに済み都合が良い。実施上、回転軸１０の形成位置は脚部５の上側が好ましく、図５に示す台座部４との接合部に形成するのがコンパクトにする点からもっとも好ましい。又図５に示すように脚部５の先端を開いて固定するようにすると、作業の動きに連動して、脚部５が滑り戻るのを防ぐ事ができる。実施上、把持部６に形成された脚部５にも回転軸１０を形成しても良い。【００１２】  図６は本発明の他の態様に係る野菜カッターの板状部材の形態を示す斜視図である。図６に示す野菜カッターは板状部材３の端部に把持部６を形成している。このようにすると、該板状部材３を台座部４に乗せた際、台座部４の把持部６と合わせて持つことができるため、台座部４の上での固定力を増す事ができ、又、作業の際に掛かる板状部材３の上面の力を該把持部６と台座部４の把持部６とで分散して受ける事ができるので台座部４の構造を薄くできる、又、このようにすると、台座部４から外して使用する事もできる。【００１３】  上記において、本発明の野菜カッターの各部分の好ましい寸法に就いて言及したが、上記の説明に限定される事なく、形状、寸法、角度などは適宜経験的に決定する事ができる。又、材質に就いても同様、金属、セラミック、プラスチックなど、適宜経験的に決定できる。
【発明の効果】
【００１４】  本発明に係る野菜カッターによれば、皿の縁部やまな板などの上側に離して位置させ且つ、安定させて切り落とす、又は削り落とす、又は擦り下ろす事を容易にする事ができる。
【図面の簡単な説明】
【図１】  本発明の一態様に係る野菜カッターの形態を示す斜視図ａとｂである。
【図２】  本発明の他の態様に係る野菜カッターの把持部の形態を示す側面図である。
【図３】  本発明の他の態様に係る野菜カッターの形態を示す側面図である。
【図４】  本発明の他の態様に係る野菜カッターの脚部の形態を示す平面図である。
【図５】  本発明の他の態様に係る野菜カッターの脚部の形態を示す側面図である。
【図６】  本発明の他の態様に係る野菜カッターの板状部材の形態を示す斜視図である。
【符号の説明】
１    刃
２    孔
３    板状部材
４    台座部
５    脚部
６    把持部
７    貫通部
８    他の部材
９    板状部材の上面
１０  回転軸
【図１】
2005088186.tif 000003
【図２】
2005088186.tif 000004
【図３】
2005088186.tif 000005
【図４】
2005088186.tif 000006
【図５】
2005088186.tif 000007
【図６】
2005088186.tif 000008